(57)【要約】【課題】  保水容器の容積を減少させて、この中に入る水の量を少なくすることにより、包装箱全体の軽量化を図り、横積み輸送時の水のこぼれを防止し、且つ外箱内に安定良く収納することができる保水容器、及び該保水容器を有する切花用包装箱を提供する。【解決手段】  罫線で区画された一枚の耐水性を有するブランクシートより組立て可能な角錘台形状の身箱と、身箱の開口縁部に取り付け可能な、開口部を有するフランジ板からなる切花用保水容器。及び該切花用保水容器を内部に収納した四角筒状の外形を有する外装箱からなる切花包装箱。【選択図】  図5
2005096785.tif 000002
【特許請求の範囲】
【請求項１】
罫線で区画された一枚の耐水性を有するブランクシートより組立て可能な角錘台形状の身箱と、身箱の開口縁部に取り付け可能な、開口部を有するフランジ板からなる保水容器であって、前記ブランクシート（A）が、四角形の底面部（１）と、底面部四方に連接する台形状の側面部（２）と、側面部間を連結する側面折り重ね片（３ａ、３ｂ）と、側面部に連接する上部折返し片（４）からなり、側面部と上部折返し片の間には、切れ線によって形成された係止突起（５）があり、上部折返し片には、端縁中央から垂直に設けられたスリット（６）と、上部折返し片の角部とスリットの端部を結ぶ罫線により区画された係止部（７）が設けられており、フランジ板（B）が、底面部と略同一の大きさと形状であり、開口部（８）及び身箱の係止突起に対応して設けられた係止スリット（９）を有し、底面部より側面部を折り立てて、隣接する側面部同士を突き合わせたのち、側面折り重ね片を、側面部の外面に折り重ね、さらに上部折返し片を、側面部の外側に折り重ね、上部折り返し片の係止部を、側面折り重ね片と側面部との隙間に折り込んで固定することによって身箱を組立て、前記身箱の開口縁部の係止突起をフランジ板の係止スリットに嵌合したことを特徴とする切花用保水容器。
【請求項２】
耐水性を有するブランクシートが片面に耐水層を設けた紙基材であることを特徴とする請求項１記載の切花用保水容器。
【請求項３】
請求項１〜２のいずれかに記載の切花用保水容器を、四角筒状の周壁及びその上下に連接する底面及び天面を有し、１つの周壁が開閉可能なヒンジ蓋となっている段ボール製外装箱内部に組み込んだ切花用包装箱であって、前記段ボール外装箱の底面が、切花用保水容器の底面と略同形同大であることを特徴とする切花用包装箱。
【発明の詳細な説明】
【技術分野】
【０００１】
本発明は切花を包装し輸送するための切花用保水容器及び切花用包装箱に関する。
【背景技術】
【０００２】
従来、切花は生産農家で切り取られ、通常段ボール製の箱で包装して出荷される。切花は水分を切らさないようにして輸送しなければ花持ちが悪くなるため、実開平５−７１１２１号（特許文献１）のように、箱体の底面部に保水容器を挿入し、切花の切り口を前記容器に入れた水に浸けた状態で縦積み状態で輸送可能な切花包装箱が提案されている。
しかし、このような輸送箱は、箱内に収容する保水容器の上面が開放型となっており、そのため、輸送途上における車両の振動や、荷扱い時に箱を斜めになった場合には保水容器の水が容易にこぼれるので、該保水容器の収容された包装箱、及び周囲の包装箱が、水濡れによって強度が低下したり、底抜け等が発生する恐れがあった。
そこで、実公平６−５０３３９号（特許文献２）のように上面開放型でない保水容器（図９参照）を有する切花の包装箱が提案されている。このような構造にした場合、保水容器からの水のこぼれはある程度は防ぐことが可能である。
【特許文献１】実開平５−７１１２１号公報
【特許文献２】実公平６−５０３３９号公報
【発明の開示】
【発明が解決しようとする課題】
【０００３】
しかしながら、上記のような保水容器は、穴から差し入れた切花の茎の周囲に余分なスペースができ、水が多く入りすぎてしまう。その結果、切花の包装箱全体の重量が重くなり、運搬等の取り扱いが不便になる。
【０００４】
この問題を解決する手段として、内箱の大きさを小さくすることにより、容積を減少させることが考えられる。しかしながら、単に内箱の大きさを小さくするだけでは、運搬中の振動や揺れにより、内箱が外箱内で動いて包装箱全体が不安定となるだけでなく、中に入れた切花が外箱の周壁の内面に当たって傷付くことがある。
【０００５】
また、生産農家から卸売市場までは、通常、トラック等大型車両で輸送するため、切花包装箱は縦積みで輸送可能であるが、卸売市場で切花を仕入れた小売店は、小型のワゴン車等を使用することが多く、積載量の関係から横積みして輸送することが多いが、水が必要以上に多く入る構造の場合、その際に水がこぼれるという問題があった。
【０００６】
本発明の課題は、保水容器の容積を減少させて、この中に入る水の量を少なくすることにより、包装箱全体の軽量化を図り、横積み輸送時の水のこぼれを防止し、且つ外箱内に安定良く収納することができる保水容器を有する切花用包装箱を提供することである。
【課題を解決するための手段】
【０００７】
上記の問題を解決するために、本発明では以下のような手段をとる。
即ち、本発明の第１は、罫線で区画された一枚の耐水性を有するブランクシートより組立て可能な角錘台形状の身箱と、身箱の開口縁部に取り付け可能な、開口部を有するフランジ板からなる保水容器であって、前記ブランクシート（A）が、四角形の底面部（１）と、底面部四方に連接する台形状の側面部（２）と、側面部間を連結する側面折り重ね片（３ａ、３ｂ）と、側面部に連接する上部折返し片（４）からなり、側面部と上部折返し片の間には、切れ線によって形成された係止突起（５）があり、上部折返し片には、端縁中央から垂直に設けられたスリット（６）と、上部折返し片の角部とスリットの端部を結ぶ罫線により区画された係止部（７）が設けられており、フランジ板（B）が、底面部と略同一の大きさと形状であり、開口部（８）及び身箱の係止突起に対応して設けられた係止スリット（９）を有し、底面部より側面部を折り立てて、隣接する側面部同士を突き合わせたのち、側面折り重ね片を、側面部の外面に折り重ね、さらに上部折返し片を、側面部の外側に折り重ね、上部折り返し片の係止部を、側面折り重ね片と側面部との隙間に折り込んで固定することによって身箱を組立て、前記身箱の開口縁部の係止突起をフランジ板の係止スリットに嵌合した切花用保水容器である。
【０００８】
本発明の第２は、耐水性を有するブランクシートが少なくとも片面に耐水層を設けた紙基材である本発明の第１に記載の切花用保水容器である。
【０００９】
本発明の第３は、本発明の第１〜２のいずれかに記載の切花用保水容器を、四角筒状の周壁及びその上下に連接する底面及び天面を有し、１つの周壁が開閉可能なヒンジ蓋となっている段ボール製外装箱内部に組み込んだ切花用包装箱であって、前記段ボール外装箱の底面が、切花用保水容器の底面と略同形同大である切花用包装箱である。
【発明の効果】
【００１０】
本発明により、保水容器の容積を減少させて、包装箱全体の軽量化を図り、横積み輸送しても水のこぼれを防止し、且つ外箱内に安定良く収納することができる保水容器を有する切花用包装箱が提供可能となった。
【発明を実施するための最良の形態】
【００１１】
以下、本発明について、図面に基づいて説明する。
第１図は、本発明の切花用保水容器の身箱を形成するブランクシートを示す。
ブランクシート（A）は、四角形の底面部（１）と、底面部四方に連接する台形状の側面部（２）と、側面部間を連結する側面折り重ね片（３ａ、３ｂ）と、側面部に連接する上部折返し片（４）からなる。また、側面部と上部折返し片の間には、切れ線によって形成された係止突起（５）があり、上部折返し片には、端縁中央から垂直に設けられたスリット（６）と、上部折返し片の角部とスリットの端部を結ぶ罫線により区画された係止部（７）が設けられている。
なお、側面部の角度αは、α＜９０°である。好ましくは、７５°≦α≦８５°である。７５°未満の場合には箱に組み込んだ場合の安定性が不足する場合がある。また８５°を越えた場合には、保水容器身箱の上部が大きくなりすぎて、必要以上に水が入ってしまい、使用時に包装箱の重量が重くなりすぎる恐れがある。
また、台形側面の上底と下底の比は、上底：下底＝１：２〜３：４が好適である。
【００１２】
また、本発明において、耐水性を有するブランクシートは、水を入れて輸送可能なシートであれば任意に使用可能であるが、本発明においては、少なくとも保水容器の内側となる片面、もしくは両面に耐水層を設けた紙基材であることが望ましい。
上記紙基材としては、板紙もしくは段ボールシートを用いることが可能である。紙基材を用いることによって、使用後の易廃棄性に優れた保水容器を得ることが可能である。
上記、紙基材は、耐水化剤、例えばロジン系サイズ剤、グリオキザール、ジアルデヒド澱粉、ポリアミド−エポキシ樹脂等を配合して抄紙するか、または抄紙機における乾燥前に前記耐水化剤を含浸させて乾燥する方法等によって得られる耐水化剤を含有したものが好適に用いられる。
また、紙基材の片面もしくは耐水層を設ける手段としては、目的に応じて任意の手段が用いることが可能である。優れた耐水性を得るためには、ポリオレフィン等の合成樹脂によるラミネートによるものが好適であり、離解性を有し、古紙として利用可能だという点でにおいては、合成樹脂エマルジョンを主成分とする耐水塗料の塗工によるものが好適である。
上記ラミネートに用いられる樹脂としては、ポリエチレン、ポリプロピレン等の各種ポリオレフィン樹脂を初め、その他任意の樹脂が使用可能である。特に、ポリエチレンテレフタレート、ポリブチレンテレフタレートが好適に用いられる。
【００１３】
また、上記耐水塗料に用いられる合成樹脂エマルジョンは、スチレン−ブタジエン系共重合体、スチレン−アクリル系共重合体、メタクリレート−ブタジエン系共重合体、アクリロニトリル−ブタジエン系共重合体、アクリル系共重合体、ポリエステル系共重合体、ポリウレタン系共重合体などが挙げられる。これらの中でもスチレン−ブタジエン系共重合体が好適である。
【００１４】
また、上記塗料については、上記合成樹脂以外にも、ワックス、石油樹脂、高級脂肪酸塩、シリコーン樹脂、フッ素系撥水剤、エチレン尿素系撥水剤、ピリジン系撥水剤、オレフィン系樹脂等が使用できる。上記撥水剤を水分散液としたものを撥水剤として、前記耐水塗料に加えることが可能である。更に、本発明においては、合成樹脂エマルジョン液の粘度調整、及び塗工性を向上させるため水溶性樹脂（澱粉、変性澱粉、ＰＶＡ、変性ＰＶＡ、カゼイン、カルボキシルメチルセルロース、アクリル樹脂、アクリルアミド、ポリエステル等）、及び必要に応じて耐水化剤（尿素―ホルムアルデヒド樹脂、メラミン−ホルムアルデヒド樹脂、ポリアミド−ホルムアルデヒド樹脂、グリオギザール、ケトンアルデヒド樹脂、ポリグリシジルエーテル、ジアルデヒド澱粉）を添加することができる。更に、分散剤、消泡剤、調滑剤、染料等の各種添加剤も必要に応じて適宜加えることができる。
【００１５】
更に、本発明においては、前記耐水塗料が、合成樹脂エマルジョンに顔料を固形分中１０〜６０質量％配合したものを使用することが可能である。特に、基材紙として段ボールシートを使用する場合、ライナ原紙に予め塗料を塗工した時に塗工面に耐熱性を付与し、貼合適性を持たせる目的で配合することが望ましい。
【００１６】
以下、基材紙として段ボールシートを使用する場合に用いる耐水塗料について以下の通り説明する。
段ボールライナ原紙に上記耐水塗料を塗工する場合には、アスペクト比が３以下で平均粒子径５〜１５μｍの粒状顔料と、アスペクト比が５以上の平板状顔料と、合成樹脂エマルジョンを含有する耐水塗料による防湿層を設けること特に好ましい。
【００１７】
上記耐水塗料中の粒状顔料とは、アスペクト比が３以下であるものを指す。アスペクト比３以下の粒状顔料は、耐水塗料に配合することで、塗工層表面に前記顔料を露出させて粗面化し、塗工層表面とカレンダーロール表面との接触面積を小さくして耐水塗料のカレンダー表面への粘着を防止するものである。
【００１８】
また、前記粒状顔料のアスペクト比の範囲は３〜１、更に望ましくは２〜１のように１にできるだけ近い形状であることが更に望ましい。アスペクト比が３を越えた場合には、防湿層の塗工表面に顔料が露出せず、防湿層の粘着防止効果が得られないという問題が発生する。
【００１９】
また、前記粒状顔料の平均粒子径は５〜１５μｍの範囲であることが必要である。平均粒子径が５μｍ未満の場合は、塗工面に粒状顔料が十分露出せず、塗工面とマシンカレンダー部との接触面積が大きくなるため、粘着防止効果を得ることができない。
また１５μｍを越えた場合は、防湿層の塗工面の表面性が悪化し、防湿性が低下する。
【００２０】
また、前記粒状顔料は、塗料中全固形分に対して、３〜１５質量％配合することが望ましい。３質量％未満の場合には、粒状顔料の量が少なすぎるため、マシンカレンダーにおける粘着防止効果が十分に得られない恐れがある。また、１５質量％を越えた場合には、防湿層の塗工層の表面性が悪化し、防湿性が低下するおそれがある。
なお、粒状顔料はマシンカレンダーの熱圧より塗工面を保護するものであることから、それ自体耐熱性を有するものであることが望ましい。
【００２１】
具体的にこのような粒状顔料としては、炭酸カルシウム、重質炭酸カルシウム、シリカ、クレー等が使用できる。特に重質炭酸カルシウムが好適に用いられる。
【００２２】
なお、本発明における平均粒子径とは、レーザー回折法で測定したものである。またアスペクト比とは、前記平均粒子径を板状粒子の平均厚さで割った値である。レーザー回折法による粒子径測定は、島津製作所製「レーザー回折式粒度分布測定装置ＳＡＬＤ２０００Ｊ」等により測定できる。
【００２３】
次に、本発明の耐水塗料に用いられる平板状顔料とは、アスペクト比が５以上のものを指し、アスペクト比１０以上のものが更に好適に用いられる。
アスペクト比が５未満の顔料は平板性が不足しているため、塗工時に塗工面に対して平行に配向できなくなるため、優れた防湿性を得ることができない。アスペクト比は大きいほど平板状顔料の塗工層中における層数が多くなるため、高い防湿性能を発揮する。
【００２４】
具体的な平板状顔料としては、フィロケイ酸塩化合物（層状構造を有する層状ケイ酸塩化合物）が挙げられる。フィロケイ酸塩化合物に属するものは、板状または薄片状であって明瞭な劈開を有し、雲母族、パイロフィライト、タルク（滑石）、緑泥石、セプテ緑泥石、蛇紋石、スチルプノメレーン、粘土鉱物がある。これらの中でも雲母族、タルクが好ましい。雲母族には、白雲母（マスコバイト）、絹雲母（セリサイト）、金雲母（フロコパイト）、黒雲母（バイオタイト）、フッ素金雲母（人造雲母）、紅マイカ、ソーダマイカ、バナジンマイカ、イライト、チンマイカ、パラゴナイト、ブリトル雲母などが挙げられる。
これらのフィロケイ酸塩化合物のうち、白雲母、金雲母または絹雲母が粒子径の大きさ、アスペクト比などの点から更に好適である。
更には膨潤性雲母鉱物と称される合成雲母、あるいは合成スメクタイトなども使用できる。
【００２５】
本発明で好適に用いられる平板状顔料の平均粒子径は１〜１００μｍ、更に好ましくは５〜５０μｍである。
平均粒子径が５μｍ未満の平板状顔料は、塗工層中での平板状顔料の配向が支持体に対して平行になりにくく、５０μｍ以上になると平板状顔料の一部が塗工層から突き出たり、平板状顔料の厚みが数μｍ程度となるに伴い、配向した平板状顔料の塗工層中における層数が少なくなってしまうために防湿性能向上効果が減少する。
【００２６】
なお、上記のように平板状顔料を含む耐水塗料の防湿効果を高めるためには、カップリング剤を使用することが好ましい。
このようなカップリング剤としては、親水基部分にＳｉを含むシランカップリング剤、親水基部分にＴｉを含むチタネートカップリング剤、親水基部分にＡｌを含むアルミニウムカップリング剤等が挙げられる。
このようなカップリング剤には、γ−グリシドキシプロピルトリメトキシシラン、Ｎ−β（アミノエチル）γ−アミノプロピルメチルジメトキシシラン、イソプロピルトリ（Ｎ−アミノエチルアミノエチル）チタネートなどが挙げられる。
【００２７】
カップリング剤の構造は、フィロケイ酸塩化合物等の平板状顔料のような無機化合物と相互作用する親水基と、樹脂のような有機化合物と相互作用する疎水基に大別され、特にその親水基部分はＴｉ、Ａｌ等の金属元素やＳｉに結合したアルコキシ基を加水分解して得られる。
一方、カップリング剤の疎水基部分については、疎水基部分が有機オリゴマーである場合、無機化合物表面に高分子有機質の被膜を形成し、表面を完全に疎水化して樹脂マトリックスとの接着性を高める効果がある。また、疎水基部分がエポキシ基、ビニル基、アミノ基等の反応性有機官能基を有する場合、その官能基と樹脂マトリックスの反応性官能基とが架橋し、より一層樹脂マトリックスとの接着性が高まる。
【００２８】
なお、上記述べた耐水塗料により設けられる耐水層は、紙基材が段ボールシートである場合に好適であるが、板紙にである場合にも有効である。
【００２９】
第２図は、本発明の切花用保水容器のフランジ板である。
フランジ板（B）は、前記ブランクシートの底面部と略同一の大きさと形状である。また、開口部（８）及び身箱の係止突起に対応して設けられた係止スリット（９）を有する。
更に、前記フランジ板の他の実施例としては、図８に示されるように、開口部が、切れ線を下方に折り込むことことで設けたものを使用することが可能である。
【００３０】
また、本発明において、上記フランジ板は、任意の素材を使用可能であるが、本発明においては、片面、もしくは両面に耐水層を設けた紙基材であることが望ましい。
上記紙基材としては板紙もしくは段ボールシートを用いることが可能である。紙基材を用いることによって、使用後の易廃棄性に優れた保水容器を得ることが可能である。
なお、具体的なフランジ板に使用する紙基材、及びその耐水層については、前記した保水容器の身箱に用いられたものと同様の素材が好適に用いることが可能である。
【００３１】
前記ブランクシートとフランジ板より保水容器を組み立てるには以下の手順による。
まず、ブランクシートの底面部より四方の側面部を折り立てて、隣接する側面部同士を突き合わせたのち、各側面折り重ね片を、各側面部の外面に折り重ねる（図３参照）。
このとき、側面折り重ね片３ａが側面と接する側とし、同３ｂが、保水容器表面側となるようにする。
しかる後に、上部折返し片を、側面部及び側面折り重ね片の外側に折り重ねる。
更に、上部折返し片の係止部を、側面折り重ね片と側面部との隙間に折り込んで固定する（図４参照）。なお、折返し片を区画する罫線ｌは、側面折り重ね辺の折り曲げ部ｍに重なるように形成されることが望ましい。
上記手順によって、角錐台形状の保水容器の身箱が形成される。
更に、身箱の開口縁部の係止突起を、フランジ板の係止スリットに嵌合することで、本発明の切花用保水容器が完成する（図５参照）。
【００３２】
このようにして形成された切花用保水容器は、角錐台形状の身箱に、身箱の底部とほぼ同形同大のフランジ板を有する。
このような形状をとることによって、本発明における保水容器は、上部が狭まった角錐台形状であるから、上部に余分なスペースが生じることがなく、水が多く入りすぎることがない。従って、包装箱全体の重量が必要以上に増加することがなく、運搬適性に優れている。
また、保水容器が、身箱の底部とほぼ同形同大のフランジ板を有することにより、横倒しにしても、保水容器がフランジ板で支えられるため、中の水がこぼれることがない（図６参照）。
【００３３】
更に、前記で得た切花用保水容器を段ボール製外装箱と組み合わせることで、切花輸送箱を得ることが可能である（図７参照）。
その際、切花用保水容器の底面、及びフランジ部の形状と、外装箱の内側の形状をほぼ同形同大とするため、切花用保水容器が外装箱内部で、安定良く固定される。
【００３４】
なお、本発明で使用する段ボール製外装箱は、通常用いられる段ボールシートを素材としたものでも良いが、耐水性を付与した段ボールシートを素材とすることが更に望ましい。
段ボールシートに耐水性を付与するためには、目的に応じて任意の手段を用いることが可能である。
段ボールシートを構成する段ボールライナ及び中芯原紙自体に、耐水化剤（尿素―ホルムアルデヒド樹脂、メラミン−ホルムアルデヒド樹脂、ポリアミド−ホルムアルデヒド樹脂、グリオギザール、ケトンアルデヒド樹脂、ポリグリシジルエーテル、ジアルデヒド澱粉）を含有するものが好適に用いられる。
また、段ボールシートの片面もしくは両面に、耐水層を設けることが可能である。耐水層を設けるのは段ボールシートの片面でも両面でも良いが、片面にのみ設ける場合は、外装箱の内側となる面に耐水層を設けることが望ましい。
耐水層を設ける手段は任意の方法を取ることが可能であるが、優れた耐水性を得るためには、ポリオレフィン等の合成樹脂によるラミネートによるものが好適であり、離解性を有し、古紙として利用可能だという点においては、合成樹脂エマルジョンを主成分とする耐水塗料の塗工によるものが好適である。
【００３５】
上記ラミネートに用いられる樹脂としては、ポリエチレン、ポリプロピレン等の各種ポリオレフィン樹脂を初め、その他任意の樹脂が使用可能である。特に、ポリエチレンテレフタレート、ポリブチレンテレフタレートが好適に用いられる。
【００３６】
本発明の防湿塗料に用いられる合成樹脂エマルジョンは、スチレン−ブタジエン系共重合体、スチレン−アクリル系共重合体、メタクリレート−ブタジエン系共重合体、アクリロニトリル−ブタジエン系共重合体、アクリル系共重合体、ポリエステル系共重合体、ポリウレタン系共重合体などが挙げられる。これらの中でもスチレン−ブタジエン系共重合体が好適である。
【００３７】
また、上記塗料については、上記合成樹脂以外にも、ワックス、石油樹脂、高級脂肪酸塩、シリコーン樹脂、フッ素系撥水剤、エチレン尿素系撥水剤、ピリジン系撥水剤、オレフィン系樹脂等が使用できる。上記撥水剤を水分散液としたものを撥水剤として、前記耐水塗料に加えることが可能である。更に、本発明においては、合成樹脂エマルジョン液の粘度調整、及び塗工性を向上させるため水溶性樹脂（澱粉、変性澱粉、ＰＶＡ、変性ＰＶＡ、カゼイン、カルボキシルメチルセルロース、アクリル樹脂、アクリルアミド、ポリエステル等）、及び必要に応じて耐水化剤（尿素―ホルムアルデヒド樹脂、メラミン−ホルムアルデヒド樹脂、ポリアミド−ホルムアルデヒド樹脂、グリオギザール、ケトンアルデヒド樹脂、ポリグリシジルエーテル、ジアルデヒド澱粉）を添加することができる。更に、分散剤、消泡剤、調滑剤、染料等の各種添加剤も必要に応じて適宜加えることができる。
【００３８】
更に、前記耐水塗料として、合成樹脂エマルジョンに顔料を固形分中１０〜６０質量％配合したものを使用することが好ましい。
【００３９】
段ボールライナ原紙に上記耐水塗料を塗工する場合には、アスペクト比が３以下で平均粒子径５〜１５μｍの粒状顔料と、アスペクト比が５以上の平板状顔料と、合成樹脂エマルジョンを含有する耐水塗料による防湿層を設けること特に好ましい。
【００４０】
上記耐水塗料中の粒状顔料とは、アスペクト比が３以下であるものを指す。アスペクト比３以下の粒状顔料は、耐水塗料に配合することで、塗工層表面に前記顔料を露出させて粗面化し、塗工層表面とカレンダーロール表面との接触面積を小さくして耐水塗料のカレンダー表面への粘着を防止するものである。
【００４１】
また、前記粒状顔料のアスペクト比の範囲は３〜１、更に望ましくは２〜１のように１にできるだけ近い形状であることが更に望ましい。アスペクト比が３を越えた場合には、防湿層の塗工表面に顔料が露出せず、防湿層の粘着防止効果が得られないという問題が発生する。
【００４２】
また、前記粒状顔料の平均粒子径は５〜１５μｍの範囲であることが必要である。平均粒子径が５μｍ未満の場合は、塗工面に粒状顔料が十分露出せず、塗工面とマシンカレンダー部との接触面積が大きくなるため、粘着防止効果を得ることができない。
また１５μｍを越えた場合は、防湿層の塗工面の表面性が悪化し、防湿性が低下する。
【００４３】
また、前記粒状顔料は、塗料中全固形分に対して、３〜１５質量％配合することが望ましい。３質量％未満の場合には、粒状顔料の量が少なすぎるため、マシンカレンダーにおける粘着防止効果が十分に得られない恐れがある。また、１５質量％を越えた場合には、防湿層の塗工層の表面性が悪化し、防湿性が低下するおそれがある。
なお、粒状顔料はマシンカレンダーの熱圧より塗工面を保護するものであることから、それ自体耐熱性を有するものであることが望ましい。
【００４４】
具体的にこのような粒状顔料としては、炭酸カルシウム、重質炭酸カルシウム、シリカ、クレー等が使用できる。特に重質炭酸カルシウムが好適に用いられる。
【００４５】
次に、本発明の耐水塗料に用いられる平板状顔料とは、アスペクト比が５以上のものを指し、アスペクト比１０以上のものが更に好適に用いられる。
アスペクト比が５未満の顔料は平板性が不足しているため、塗工時に塗工面に対して平行に配向できなくなるため、優れた防湿性を得ることができない。アスペクト比は大きいほど平板状顔料の塗工層中における層数が多くなるため、高い防湿性能を発揮する。
【００４６】
具体的な平板状顔料としては、フィロケイ酸塩化合物（層状構造を有する層状ケイ酸塩化合物）が挙げられる。フィロケイ酸塩化合物に属するものは、板状または薄片状であって明瞭な劈開を有し、雲母族、パイロフィライト、タルク（滑石）、緑泥石、セプテ緑泥石、蛇紋石、スチルプノメレーン、粘土鉱物がある。これらの中でも雲母族、タルクが好ましい。雲母族には、白雲母（マスコバイト）、絹雲母（セリサイト）、金雲母（フロコパイト）、黒雲母（バイオタイト）、フッ素金雲母（人造雲母）、紅マイカ、ソーダマイカ、バナジンマイカ、イライト、チンマイカ、パラゴナイト、ブリトル雲母などが挙げられる。
これらのフィロケイ酸塩化合物のうち、白雲母、金雲母または絹雲母が粒子径の大きさ、アスペクト比などの点から更に好適である。
更には膨潤性雲母鉱物と称される合成雲母、あるいは合成スメクタイトなども使用できる。
【００４７】
本発明で好適に用いられる平板状顔料の平均粒子径は１〜１００μｍ、更に好ましくは５〜５０μｍである。
平均粒子径が５μｍ未満の平板状顔料は、塗工層中での平板状顔料の配向が支持体に対して平行になりにくく、５０μｍ以上になると平板状顔料の一部が塗工層から突き出たり、平板状顔料の厚みが数μｍ程度となるに伴い、配向した平板状顔料の塗工層中における層数が少なくなってしまうために防湿性能向上効果が減少する。
【００４８】
なお、上記のように平板状顔料を含む耐水塗料の防湿効果を高めるためには、カップリング剤を使用することが好ましい。
このようなカップリング剤としては、親水基部分にＳｉを含むシランカップリング剤、親水基部分にＴｉを含むチタネートカップリング剤、親水基部分にＡｌを含むアルミニウムカップリング剤等が挙げられる。
このようなカップリング剤には、γ−グリシドキシプロピルトリメトキシシラン、Ｎ−β（アミノエチル）γ−アミノプロピルメチルジメトキシシラン、イソプロピルトリ（Ｎ−アミノエチルアミノエチル）チタネートなどが挙げられる。
【００４９】
カップリング剤の構造は、フィロケイ酸塩化合物等の平板状顔料のような無機化合物と相互作用する親水基と、樹脂のような有機化合物と相互作用する疎水基に大別され、特にその親水基部分はＴｉ、Ａｌ等の金属元素やＳｉに結合したアルコキシ基を加水分解して得られる。
一方、カップリング剤の疎水基部分については、疎水基部分が有機オリゴマーである場合、無機化合物表面に高分子有機質の被膜を形成し、表面を完全に疎水化して樹脂マトリックスとの接着性を高める効果がある。また、疎水基部分がエポキシ基、ビニル基、アミノ基等の反応性有機官能基を有する場合、その官能基と樹脂マトリックスの反応性官能基とが架橋し、より一層樹脂マトリックスとの接着性が高まる。
【００５０】
上記の切花用輸送箱は、保水容器が外装箱内側に安定良く固定されており、運搬中の振動や揺れにより、内箱が外箱内で動いて包装箱全体が不安定となることがなく、中に入れた切花が外箱の周壁の内面に当たって傷付くことが軽減される。
また、保水容器の容積を減少させて、この中に入る水の量を少なくすることにより、包装箱全体の軽量化を図り、また、生産農家から卸売市場までは、縦積みで輸送可能であることはもちろん、小型のワゴン車等で横積み輸送する際にも、水のこぼれが防止可能である。
【産業上の利用可能性】
【００５１】
本発明で得られる切花用保水容器及び切花用包装箱は、切花類を輸送する際の包装箱として好適に用いられる。
【図面の簡単な説明】
【００５２】
【図１】本発明身箱のブランクシートを示した平面図である。
【図２】本発明フランジ板を示した斜視図である。
【図３】本発明身箱の組立て過程を示した斜視図である。
【図４】本発明身箱を組立て後、上部から見た図（４−ａ）、及び斜視図（４−ｂ）である。
【図５】身箱とフランジ板を組み立てた本発明切花用保水容器の斜視図である。
【図６】本発明の切花用保水容器に水を入れた断面模式図である。
【図７】切花用保水容器と段ボール製外装箱を組み合わせた切花用包装箱の模式図である。
【図８】本発明フランジ板の他の実施例を示した斜視図である。
【図９】従来例の切花用保水容器を示した斜視図である。
【符号の説明】
【００５３】
Ａ：ブランクシート、Ｂ：フランジ板、１：底面部、２：側面部、３（３ａ，３ｂ）：側面折返し片、４：上部折返し片、５：係止突起、６：スリット、７：係止部、８：開口部、９：係止スリット、１０：外装箱底面、ｐ：切花用保水容器、ｑ：段ボール製外装箱、ｒ：切花、ｗ：水
【図１】
2005096785.tif 000003
【図２】
2005096785.tif 000004
【図３】
2005096785.tif 000005
【図４】
2005096785.tif 000006
【図５】
2005096785.tif 000007
【図６】
2005096785.tif 000008
【図７】
2005096785.tif 000009
【図８】
2005096785.tif 000010
【図９】
2005096785.tif 000011